(57)【要約】【課題】  頂部カバーが一定の強度を有している超薄型頂部カバーのゴルフクラブヘッドを提供する。【解決手段】  一つのクラブヘッド本体２０は、概ねゴルフクラブヘッド形状を呈していて、一つの正面２１、一つの底面および一つの背面を有し、正面２１に一つの打球プレート２４を有する。クラブヘッド本体２０は、一つの頂面２５を有し、頂面２５に一つの穴を有する。一つの薄型頂部カバー３０は、クラブヘッド本体２０の頂面２５の穴をカバーして合わされ、薄型頂部カバー３０の厚さは０．７ｍｍ以下であり、硬度はＨＲＣ３５以上である。【選択図】    図１
0003107046.tif 000002
【実用新案登録請求の範囲】
【請求項１】
クラブヘッド本体があり、概ねゴルフクラブヘッド形状を呈しており、一つの正面、一つの底面および一つの背面を有し、正面に一つの打球プレートを有し、クラブヘッド本体は一つの頂面を有し、頂面に一つの穴を有し、
一つの薄型頂部カバーがあり、クラブヘッド本体の頂面の穴をカバーして合わされ、薄型頂部カバーの厚さは０．７ｍｍ以下であり、硬度はＨＲＣ３５以上であることを特徴とする超薄型頂部カバーのゴルフクラブヘッド。
【請求項２】
薄型頂部カバーは、金属材料により製造され、比重は７ｇ／ｃｍ2以上であり、厚さは０．５ｍｍ以下であることを特徴とする請求項１記載の超薄型頂部カバーのゴルフクラブヘッド。
【請求項３】
薄型頂部カバーは、非鉄金属材料により製造され、比重は５ｇ／ｃｍ2以下であり、厚さは０．７ｍｍ以下であることを特徴とする請求項１記載の超薄型頂部カバーのゴルフクラブヘッド。
【請求項４】
薄型頂部カバーは、金属材料により製造され、厚さは０．３５ｍｍであることを特徴とする請求項２記載の超薄型頂部カバーのゴルフクラブヘッド。
【請求項５】
薄型頂部カバーは、非鉄金属材料により製造され、厚さは０．５ｍｍであることを特徴とする請求項３記載の超薄型頂部カバーのゴルフクラブヘッド。
【請求項６】
薄型頂部カバーは、硬質はんだ付け技術を使用し、クラブヘッド本体上にはんだ付けされていることを特徴とする請求項１記載の超薄型頂部カバーのゴルフクラブヘッド。
【請求項７】
薄型頂部カバーは、クラブヘッド本体の頂面上にはんだ付けされていて、クラブヘッド本体の頂面の全体を覆い、クラブヘッド本体の頂面の穴に蓋をして合わされることを特徴とする請求項６記載の超薄型頂部カバーのゴルフクラブヘッド。
【請求項８】
薄型頂部カバーは、周縁で以って穴周縁と相対して硬質はんだ付けで繋げられ、クラブヘッド本体の頂面の穴に蓋をして合わされることを特徴とする請求項６記載の超薄型頂部カバーのゴルフクラブヘッド。
【請求項９】
打球プレートは、クラブヘッド本体と共に一体成型により作り出されることを特徴とする請求項１記載の超薄型頂部カバーのゴルフクラブヘッド。
【請求項１０】
打球プレートは、クラブヘッド本体上に於いてはんだ付けされることを特徴とする請求項１記載の超薄型頂部カバーのゴルフクラブヘッド。
【考案の詳細な説明】
【技術分野】
【０００１】
本考案は、ゴルフクラブヘッドと関連があり、更に詳しく言えば、超薄型頂部カバーを有する一種のゴルフクラブヘッドを指す。
【背景技術】
【０００２】
スムーズにゴルフボールをより高く、より遠くに打つためには、通常、ゴルフクラブヘッドの重心はクラブヘッド後側ならびに底部部位に偏って設計されているが、このような目的の下では、通常は、クラブヘッド頂部の設計は薄ければ薄いほどよく、クラブヘッド重心はクラブヘッド後側ならびに底部に移動することができる。
【０００３】
従来の薄型頂面を有するゴルフクラブヘッドでは、薄型頂面の厚さの設計は通常１ｍｍ以上であり、金属或いは複合材料などの材質を使用して製造されていて、クラブヘッド重心を下げるのに一定の効果がある。しかし、型の製造ならびに頂面プレートとクラブヘッドとの間の密合不良などの問題により制限を受け、１ｍｍ以下の薄型プレートは多く見られず、通常の強度は比較的劣り、クラブヘッド打球時に容易に破れるものである。
【考案の開示】
【考案が解決しようとする課題】
【０００４】
本考案の主要な目的は、一種の超薄型頂部カバーのゴルフクラブヘッドを提供することであり、頂部カバーの厚さは非常に薄く、且つ一定の強度を有している。
【課題を解決するための手段】
【０００５】
上述の目的を達成するため、本考案の超薄型頂部カバーのゴルフクラブヘッドは、以下のものを有する。一つのクラブヘッド本体は、概ねゴルフクラブヘッド形状を呈し、一つの正面、一つの底面および一つの背面を有し、正面は一つの打球プレートを有している。クラブヘッド本体は一つの頂面を有していて、頂面に一つの穴がある。一つの薄型頂部カバーがあり、カバーはクラブヘッド本体の頂面の穴に合わされている。薄型頂部カバーは、厚さが０．７ｍｍ以下であり、硬度がＨＲＣ３５以上である。
【考案を実施するための最良の形態】
【０００６】
本考案の構造および特徴点の所在を詳細に説明するため、ここに以下の比較的優れた実施例並びに図式の組み合わせを挙げ、後の如く説明する。
図１は、本考案の比較的優れた第１実施例の斜視図である。
図２は、図１を２−２線で切断した断面図である。
図３は、本考案の比較的優れた第２実施例の断面図である。
【０００７】
図１および図２を御覧下さい。本考案の比較的優れた第１実施例が提供する超薄型頂部カバーのゴルフクラブヘッドは、以下のものを含む。
一つのクラブヘッド本体２０は、概ねゴルフクラブヘッド形状を呈していて、一つの正面２１、一つの底面２２および一つの背面２３を有し、正面２１は一つの打球プレート２４を有していて、本実施例中に於いては、打球プレート２４はクラブヘッド本体２０と一体成型により作り出されている。クラブヘッド本体２０は一つの頂面２５を有し、頂面２５は一つの穴２６を有している。
【０００８】
一つの薄型頂部カバー３０があり、硬質はんだ付け方式によりクラブヘッド本体頂面２５に設けられ、本実施例中に於いては、クラブヘッドの頂面全体をカバーし、周囲端縁はクラブヘッド本体の頂面２５の端縁に合わされていて、また、クラブヘッド本体２０の頂面の穴２６をカバーしている。図２に示す如く、薄型頂部カバー３０前側端縁はクラブヘッド頂面端縁に於いて揃っていて、また、おおよそ打球プレート２４にある平面とも揃って切られている。
【０００９】
本実施例の薄型頂部カバーの硬度は、ＨＲＣ３５以上であり、頂部カバーは金属材料により製造される際、比重が７ｇ／ｃｍ2以上であり、厚さは０．５ｍｍ以下である。非鉄金属材料により製造される際、比重は５ｇ／ｃｍ2以下であり、厚さは０．７ｍｍ以下である。本実施例中に於いては、薄型頂部カバー３０は、金属材料により製造され、厚さは約０．３５ｍｍである。
【００１０】
図３を御覧下さい。これは、本考案の比較的優れた第２実施例であり、クラブヘッド本体４０の正面にはんだ付けされた一つの打球プレート４１を有し、クラブヘッド本体４０の頂面は一つの穴４２を有し、一つの薄型頂部カバー４３でその周縁と穴４２の周縁が硬質はんだ付け方式で以ってお互いに接合され、クラブヘッド本体４０の頂面の穴４２を蓋している。薄型頂部カバー４３は、非鉄金属材料により製造され、厚さは０．５ｍｍであり、比重は５ｇ／ｃｍ2以下であり、硬度は同じくＨＲＣ３５以上を維持している。
【００１１】
これにより、頂部カバーの厚さを０．７ｍｍ以下に至るまで有効に減らし、尚且つ、一定の硬度（ＨＲＣ３５）以上を維持することができ、クラブヘッドを一定の強度に保つ前提の下、クラブヘッド全体の重心を有効に下げ、クラブヘッドの打球効率を向上させる。
【図面の簡単な説明】
【００１２】
【図１】本考案の第１実施例による超薄型頂部カバーのゴルフクラブヘッドを示す斜視図である。
【図２】図１を２−２線で切断した断面図である。
【図３】本考案の第２実施例による超薄型頂部カバーのゴルフクラブヘッドを示す断面図である。
【符号の説明】
【００１３】
２０  クラブヘッド本体、２１  正面、２２  底面、２３  背面、２４  打球プレート、２５  頂面、２６  穴、３０  薄型頂部カバー、４０  クラブヘッド本体、４１  打球プレート、４２  穴、４３  薄型頂部カバー
【図１】
0003107046.tif 000003
【図２】
0003107046.tif 000004
【図３】
0003107046.tif 000005